(57)【要約】      （修正有）【課題】美感を損なうことなく、冷蔵庫の庫室に食品等を出し入れする際や、庫室内から取り出した飲料をグラス等に注ぐ作業等の際の利便性を向上させる冷蔵庫を提供する。【解決手段】冷蔵庫Ｒは、第１の庫室と、第１の庫室の下方に位置する第２の庫室と、を備えている。第１の庫室と第２の庫室は、仕切部１４により仕切られている。仕切部は収納部１４ａを備えている。冷蔵庫は、収納部に収納された収納状態と、冷蔵庫の前面よりも突出した引き出し状態と、に変位可能なテーブル３を備えている。【選択図】図２
0003210718.tif 000002
【実用新案登録請求の範囲】
【請求項１】
第１の庫室と、
前記第１の庫室の下方に位置する第２の庫室と、
前記第１の庫室と前記第２の庫室とを仕切る仕切部と、を備えた冷蔵庫であって、
前記仕切部は収納部を備え、
前記収納部に収納された収納状態と、前記冷蔵庫の前面よりも突出した引き出し状態と、に変位可能なテーブルを備えた冷蔵庫。
【請求項２】
前記第１の庫室は冷蔵室である請求項１記載の冷蔵庫。
【請求項３】
前記テーブルは、前記収納状態にあるとき、その前端部が前記仕切部の前面よりも突出しないよう構成されている請求項１または２記載の冷蔵庫。
【考案の詳細な説明】
【技術分野】
【０００１】
本考案は、冷蔵庫に関する。
【背景技術】
【０００２】
従来、冷蔵庫の庫室に食品等を出し入れする際や、庫室内から取り出した飲料をグラス等に注ぐ際には、流し台の天板や近傍に置かれたテーブル等を作業台として使用することが行われている。しかしながら、冷蔵庫と流し台やテーブルは離れて配置されていることが多いため、作業効率が良くない。
【０００３】
これに対して、冷蔵庫にテーブルを取り付けることが提案されている。例えば、特許文献１では、冷蔵室を閉塞可能なドアの外側にヒンジを介して回動可能なテーブルを設けることが提案されている。同様に、特許文献２にも、冷蔵庫の外側に折りたたみ可能なテーブルを設けることが提案されている。
【先行技術文献】
【特許文献】
【０００４】
【特許文献１】登録実用新案第３００９０２４号公報
【特許文献２】特開平１０−０１９４５７号公報
【考案の概要】
【考案が解決しようとする課題】
【０００５】
上述の特許文献に開示された冷蔵庫では、いずれもテーブルが設けられているため、それを作業台等として使用することができ、利便性が向上する。しかしながら、特許文献１，２の冷蔵庫では、テーブルが折りたたみ式であるため、美感を損なうおそれがあり、また、設置する際には冷蔵庫の奥行きだけでなく、テーブルの奥行きを含めた空間を確保する必要がある。
【０００６】
本考案は上記課題に鑑みてなされたものであり、その目的は、美感を損なうことなく、冷蔵庫の庫室に食品等を出し入れする際や、庫室内から取り出した飲料をグラス等に注ぐ作業等の際の利便性を向上させる冷蔵庫を提供することにある。
【課題を解決するための手段】
【０００７】
上記課題を解決するための第１の庫室と、前記第１の庫室の下方に位置する第２の庫室と、前記第１の庫室と前記第２の庫室とを仕切る仕切部と、を備えた冷蔵庫の好適な実施形態の一つでは、前記仕切部は収納部を備え、前記収納部に収納された収納状態と、前記冷蔵庫の前面よりも突出した引き出し状態と、に変位可能なテーブルを備えている。
【０００８】
この構成では、テーブルを引き出し状態とすることにより、テーブルを作業台として使用することができるため、作業の際の利便性が向上する。一方、テーブルを使用しないときには収納部に収納することができるため、邪魔にならない。
【０００９】
庫室から取り出した飲料をグラスに注ぐ際の作業台として使用することを考えると、第１の庫室が冷蔵室であることが好ましい。
【００１０】
テーブルを収納状態から引き出し状態に変位させるために、モーター等の駆動力を用いて自動的に変位させることもできるし、人為的に変位させることもできる。後者の場合には、テーブルに引き出し方向への力を作用させるための部位を設ける必要がある。しかしながら、テーブルの前面にノブやつまみを設け、それらが仕切部の前面よりも突出していると、引っかかったり、邪魔になったりするおそれがある。そのため、本考案に係る冷蔵庫の好適な実施形態の一つでは、前記テーブルは、前記収納状態にあるとき、その前端部が前記仕切部の前面よりも突出しないよう構成されている。
【００１１】
この構成では、収納状態にあるテーブルの前端部が仕切部の前面と略同一面またはそれよりも引退しているため、引っかかったり、邪魔になったりすることがない。ただし、テーブルの前面にノブやつまみを設け、それらの前端が仕切部の前面よりも突出しないよう構成すると、テーブル自体の前端が仕切部の前面よりも引退した位置となり、美感等の観点からはあまり好ましくない。そのため、テーブルの前面にはノブやつまみを設けず、テーブルの前面と仕切部の前面とが略同一面となるよう構成することが好ましい。なお、この場合には、テーブルの前面に凹部形状の引き手を形成したり、いわゆる、プッシュオープン・クローズタイプに構成したりすれば、テーブルに対して引き方向への力を作用させることができる。
【図面の簡単な説明】
【００１２】
【図１】テーブルを収納状態とした冷蔵庫の斜視図である。
【図２】テーブルを引き出し状態とした冷蔵庫の斜視図である。
【図３】テーブル近傍の斜視図である。
【図４】インナーレールとアウターレールとの斜視図である。
【考案を実施するための形態】
【００１３】
以下に図面を用いて、本考案に係る冷蔵庫の実施形態を説明する。なお、以下の説明において左右とは図１における左右方向と同一であり、前とは冷蔵庫の前面側を指す。また、内方は冷蔵庫の庫室側、外方は内方の反対側を指す。
【００１４】
図１は、本考案に係る冷蔵庫の斜視図である。本実施形態における冷蔵庫Ｒは、複数の庫室１に分割されている。具体的には、上から順に冷蔵室１１（本考案における第１の庫室の例），冷凍室１２（本考案における第２の庫室の例）および野菜室１３が形成されている。また、冷凍室１２は、向かって右側に第１冷凍室１２ａが形成され、向かって左側は上下２つの庫室に分割され、下側には第１冷凍室１２ａよりも容量が小さい第２冷凍室１２ｂが形成され、上側には製氷および製氷された氷を保存するための製氷室１２ｃが形成されている。
【００１５】
冷蔵室１１には、フレンチオープン（観音開き）ドアとして構成された一対のドア２１，２２が設けられている。そのため、ドア２１，２２の少なくとも一方を開ければ、冷蔵室１１に食品等を出し入れすることができる。一方、冷蔵室１１以外の庫室１は、ドロワタイプに構成されている。
【００１６】
冷蔵室１１および冷凍室１２の間は、仕切部１４により物理的および熱的に仕切られている。本実施形態における冷蔵庫Ｒは、この仕切部１４に引き出し式のテーブル３を収納可能な収納部１４ａが形成されている。図１はテーブル３が収納部１４ａに収納された状態（収納状態）を表し、図２はテーブル３が引き出された状態（引き出し状態）を表している。なお、以下の説明では、テーブル３を収納状態から引き出し状態に変位させる方向を引き出し方向、逆方向を収納方向と称する。
【００１７】
テーブル３は、前板３１と前板３１の背面に接続された平板状の本体部３２とから構成されている。収納部１４ａは、前板３１と本体部３２とが収納可能な大きさで、収納状態では、前板３１の前面が仕切部１４の前面と略同一面となるよう構成されている。
【００１８】
冷蔵庫Ｒにこのようなテーブル３を設けたことにより、図２に示すように、テーブル３の本体部３２上に置かれたグラスＧに、冷蔵室１１から取り出した飲料を注ぐ等の作業台として使用することができる。また、冷蔵室１１内に食品等を出し入れする際や庫内の清掃をする際等に、テーブル３の本体部３２上に一時的に食品等を載置することもできる。これにより、作業の際の移動量が少なくなり、利便性が向上する。
【００１９】
なお、テーブル３の引き出し量は、作業等をするのに必要な広さを確保する一方、子供が本体部３２にぶら下がったりする等、本体部３２に過剰な荷重がかかった際に冷蔵庫Ｒが転倒することを回避するために、一定の引き出し量に止めることが好ましい。例えば、テーブル３の引き出し量を２０ｃｍ〜２５ｃｍとするのが好ましい。当然ながら、この引き出し量は、テーブル３の上下位置、冷蔵庫Ｒの寸法や重量等によって異ならせることができる。
【００２０】
本実施形態では、テーブル３はいわゆるプッシュオープン・クローズタイプに構成されている。すなわち、テーブル３を使用する場合には、テーブル３の前板３１を収納方向に少し押し込むことによりロックを解除し、引き出し方向に少し変位したテーブル３を人為的にさらに引き出し方向に移動させることで引き出し状態とすることができる。一方、テーブル３を収納する場合には、前板３１の前面が仕切部１４の前面よりも少し凹む程度まで前板３１を収納方向に押し込む。その後、手を離すと、前板３１の前面が仕切部１４の前面と略同一面となる程度までテーブル３が引き出し方向に変位し、その位置でロックされ収納状態となる。なお、従来知られている種々の構成を用いることにより、テーブル３をプッシュオープン・クローズタイプに構成することができるため、詳細な説明は省略する。
【００２１】
テーブル３の前板３１に突出するノブやツマミを設けると、台所作業や移動の際に邪魔になったり、それらに当たることによる怪我の可能性があったりするが、プッシュオープン・クローズタイプとして構成することにより、そのような不都合を回避することができる。
【００２２】
テーブル３の変位を滑らかに行えるように、本実施形態では、図３に示すように、収納部１４ａの左右の内面に一対のアウターレール４を設け、テーブル３の本体部３１の左右の面に一対のインナーレール５を設けている。なお、図３では、アウターレール４とインナーレール５とを分かりやすくするために、冷蔵庫Ｒ本体を点線で表し、テーブル３を冷蔵庫Ｒから引き抜いた状態を示している。
【００２３】
図４は、左側のアウターレール４およびインナーレール５のみを表している。図に示すように、アウターレール４は、収納部１４ａの内壁に固定される基部４１を備えている。基部４１の上下端には、内方に延び、さらに下方および上方に直角に延びるガイド部４２が形成されている。また、ガイド部４２の前端には、下方および上方に延びる抜け止部４２ａが形成されている。さらに、基部４１の内面の前端付近には、内方に突出する半球状の凸部４３が形成されている。
【００２４】
一方、インナーレール５は、テーブル３の本体部３２の側方面に固定される基部５１を備えている。基部５１の外方には、レール部５２が形成されている。レール部５２の幅は基部５１の幅よりも大きく、また、アウターレール４の基部４１と一対のガイド部４２によって構成される空間（ガイド空間Ｓ）に適合する大きさに構成されている。そのため、インナーレール５のレール部５２は、ガイド空間Ｓ内を長さ方向（前後方向）に摺動することができる。また、基部５１の後端部には上下方向に突出する当接部５１ａが形成されている。インナーレール５が引き出し方向に変位し、所定位置まで来ると、この当接部５１ａがアウターレール４の抜け止部４２ａに当接し、インナーレール５の引き出し方向への変位が規制される。そのため、テーブル３に対して大きな引き出し方向への力を作用させても、テーブル３が不用意に収納部１４ａから抜け出て、脱落することを防止することができる。
【００２５】
また、レール部５２の外方面の後端付近には、半球状の凹部５３が形成されている。この凹部５３の形状および高さ方向位置は凸部４３の形状および高さ方向位置に適合するように構成されている。そのため、インナーレール５が引き出し方法に変位し、所定位置まで来ると、凸部４３が凹部５３にはまり込む。これにより、インナーレールの変位が規制され、不用意にテーブル３が収納方向に変位することを防止することができる。
【００２６】
なお、凸部４３を、突出状態と、基部４１の内面と同一の高さまで引退した引退状態と、に変位可能とし、凸部４３を突出側に付勢するバネ等の付勢部材を設けることも好ましい形態である。この場合には、凸部４３がレール部５２の平面部分に当接しているときには、その押圧力により凸部４３は引退状態となり、インナーレール５の変位を阻害しない。一方、凸部４３が凹部５３の位置にくると、付勢力によって凸部４３が突出状態に変位し、凸部４３が凹部５３にはまり込む。このように構成することにより、テーブル３を滑らかに引き出し方向または収納方向に変位させることができるとともに、引き出し状態にあるテーブル３が不用意に収納方向に変位することが防止することができる。なお、インナーレール５に、長手方向に沿って複数の凹部５３を設けると、複数の位置でテーブル３の変位を抑制することができる。
【００２７】
このように、本考案に係る冷蔵庫では、上下に配置された２つの庫室を仕切る仕切部に、収納状態と引き出し状態とに変位可能なテーブルを設けたことにより、テーブルを作業台として使用することができ、利便性が向上する。また、テーブルが不要なときには、テーブルを仕切部に形成された収納部に収納できるため、美感を損なわず、また、邪魔にならない。
【００２８】
〔別実施形態〕
（１）上述の実施形態では、テーブル３をいわゆるプッシュオープン・クローズタイプに構成したが、人為的に引き出し／収納するように構成しても構わない。例えば、前板３１の前面に、力を作用させるためのノブやつまみを設けても構わない。この場合、テーブル３が収納状態にあるときに、ノブやつまみの前端が仕切部１４の前面よりも突出しないように構成すればよい。また、前板３１の前面に凹部として形成された引き手を設けても構わない。
【００２９】
（２）上述の実施形態では、冷蔵室１１とその下方に設けられた他の庫室１との間に形成された仕切部１４にテーブル３を設けたが、他の仕切部にテーブル３を設けても構わない。例えば、冷凍室１２と野菜室１３とを仕切る仕切部にテーブル３を設けても構わない。
【産業上の利用可能性】
【００３０】
本考案は、冷蔵庫に利用することができる。
【符号の説明】
【００３１】
Ｒ：冷蔵庫
１：庫室
１１：冷蔵室（第１の庫室）
１２：冷凍室（第２の庫室）
１４：仕切部
１４ａ：収納部
３：テーブル
【図１】
0003210718.tif 000003
【図２】
0003210718.tif 000004
【図３】
0003210718.tif 000005
【図４】
0003210718.tif 000006